(57)【要約】【課題】ガスメータと通信機との結線作業を容易に行えると共に、ガスメータの外観向上及び通信線の切断防止を図ることができる、通信機のガスメータへの取り付け方法を提供する。【解決手段】ガスメータ１に、当該ガスメータ１の前方に向けて開口する収納部２２を設け、収納部２２内に、無線子機３０を端子台３２が前方を向くように収納し、収納部２２内に設けられる端子台１５と、無線子機３０の端子台３２とを、通信線１６で接続し、無線子機３０を反転させて、当該無線子機３０及び通信線１６を収納部２２内に収納し、収納部２２の開口部２２ａを、カバー部材２１で覆う。【選択図】図３
2019124655.tif 000002
【特許請求の範囲】
【請求項１】
ガスメータに、当該ガスメータの前方に向けて開口する収納部を設け、
前記収納部内に、通信機を、当該通信機に設けられる通信機側端子部が前方を向くように収納し、
前記通信機側端子部と、前記収納部内に設けられるメータ側端子部とを、通信線で接続し、
前記通信機を反転させて、前記通信機及び前記通信線を前記収納部内に収納し、
前記収納部の開口部を、カバー部材で覆う
ことを特徴とする通信機のガスメータへの取り付け方法。
【請求項２】
前記通信線を、前記収納部と前記通信機との間に収納する
ことを特徴とする請求項１記載の通信機のガスメータへの取り付け方法。
【請求項３】
前記通信機側端子部と前記メータ側端子部との結線時において、前記通信機における前記通信機側端子部の裏側と、前記収納部内から前方に向けて突出する突出部とを、当接させる
ことを特徴とする請求項１または請求項２記載の通信機のガスメータへの取り付け方法。
【請求項４】
前記通信機を反転させて収納するときに、前記通信機に設けられる凹部と、前記突出部とを嵌合させる
ことを特徴とする請求項３記載の通信機のガスメータへの取り付け方法。
【請求項５】
前記通信機側端子部と前記メータ側端子部との結線時における前記通信機に対するねじ留めと、その結線後に反転させた前記通信機に対するねじ留めとを、同じ位置で行う
ことを特徴とする請求項１から請求項４のうちのいずれか１項記載の通信機のガスメータへの取り付け方法。
【請求項６】
前記通信機は、前記通信機側端子部を有する基板を備え、
前記基板は、反転された前記通信機における前記ガスメータの前面側に配置される
ことを特徴とする請求項１から請求項５のうちのいずれか１項記載の通信機のガスメータへの取り付け方法。
【発明の詳細な説明】
【技術分野】
【０００１】
この発明は、通信機のガスメータへの取り付け方法に関する。
【背景技術】
【０００２】
近年、公衆回線及び無線等を用いて、ガス供給元とガスメータとの間を結ぶネットワークを構築することにより、顧客宅のガス使用量を遠隔から検出して、検針の効率化を図るようにした遠隔検針システムが、提供されている。また、このような遠隔検針システムに適用されるガスメータには、検針値に対応した電気信号を送信するための通信機が設けられている。
【０００３】
そして、上述したような、従来のガスメータとしては、例えば、特許文献１に開示されている。
【先行技術文献】
【特許文献】
【０００４】
【特許文献１】特開平８−１７８７２５号公報
【発明の概要】
【発明が解決しようとする課題】
【０００５】
上記従来のガスメータにおいては、通信機がガスメータの外部に露出して取り付けられているため、それらを接続するための通信線においても、外部にむき出しになっている。これにより、ガスメータの外観を損ねるだけでなく、通信線の切断事故を招くおそれがある。
【０００６】
この発明は、上記課題を解決するものであって、ガスメータと通信機との結線作業を容易に行えると共に、ガスメータの外観向上及び通信線の切断防止を図ることができる、通信機のガスメータへの取り付け方法を提供することを目的とする。
【課題を解決するための手段】
【０００７】
この発明に係る通信機のガスメータへの取り付け方法は、ガスメータに、当該ガスメータの前方に向けて開口する収納部を設け、収納部内に、通信機を、当該通信機に設けられる通信機側端子部が前方を向くように収納し、通信機側端子部と、収納部内に設けられるメータ側端子部とを、通信線で接続し、通信機を反転させて、通信機及び通信線を収納部内に収納し、収納部の開口部を、カバー部材で覆うものである。
【発明の効果】
【０００８】
この発明によれば、ガスメータと通信機との結線作業を容易に行えると共に、ガスメータの外観向上及び通信線の切断防止を図ることができる。
【図面の簡単な説明】
【０００９】
【図１】この発明の実施の形態１に係る通信機の取り付け方法が適用されるガスメータの外観図である。図１Ａは、カバー部材が取り付けられたガスメータの正面図である。図１Ｂは、通信機が取り付けられたガスメータの正面図である。図１Ｃは、カバー部材及び通信機が取り外されたガスメータの正面図である。
【図２】図１ＡのII−II矢視断面図である。
【図３】この発明の実施の形態１に係る通信機のガスメータへの取り付け方法の手順を示した図である。図３Ａは、通信機をガスメータに収納する前の様子を示した図である。図３Ｂは、通信機を裏返した状態でガスメータに収納する様子を示した図である。図３Ｃは、通信機とガスメータとを通信線で接続する様子を示した図である。図３Ｄは、通信機を反転させてガスメータに再度収納する様子を示した図である。
【発明を実施するための形態】
【００１０】
以下、この発明の実施の形態について図面を参照しながら詳細に説明する。
【００１１】
実施の形態１．
図１Ａから図１Ｃは、この発明の実施の形態１に係る通信機の取り付け方法が適用されるガスメータの外観図である。図２は、図１ＡのII−II矢視断面図である。
【００１２】
図１Ａから図１Ｃ及び図２に示したガスメータ１は、所謂、スマートメータと称される、無線機能を有するガスメータである。
【００１３】
図１Ａから図１Ｃ及び図２に示すように、ガスメータ１は、筐体１１、前側ケース１２、及び、通信機としての無線子機３０を備えている。筐体１１及び前側ケース１２は、ガスメータ１の本体を構成している。金属製の筐体１１は、ガスメータ１の背面側に配置されており、樹脂製の前側ケース１２は、ガスメータ１の前面側に配置されている。無線子機３０は、前側ケース１２の内部に内蔵されている。
【００１４】
筐体１１は、ガス流入口１３ａ及びガス流出口１３ｂを備えている。ガス流入口１３ａ及びガス流出口１３ｂは、筐体１１の上部に設けられており、当該筐体１１の内部に形成された計測用流路と連通している。つまり、ガス流入口１３ａは、供給されたガスを計測用流路の上流側端部に流入させるものである。また、ガス流出口１３ｂは、計測用流路内に流入したガスを、その下流側端部からガスメータ１の外部に流出させるものである。
【００１５】
なお、ガスメータ１は、供給されたガスがガス流入口１３ａからガス流出口１３ｂに至る一連の計測用流路を通過する過程において、その流量及び積算流量を計測する機能を有している。また、ガスメータ１は、基板（図示省略）を備えており、この基板は、計測された流量及び積算流量を、ガスメータ１の検針値として電気信号に変換して送信する。
【００１６】
図１Ａから図１Ｃに示すように、前側ケース１２は、その前面に表示部１４を備えている。表示部１４は、上記基板と電気的に接続されており、当該基板から電気信号が送信されることにより、ガスメータ１の検針値となる流量及び積算流量を表示可能となっている。
【００１７】
また、図１Ａ及び図２示すように、前側ケース１２は、カバー部材２１を備えている。カバー部材２１は、前側ケース１２の下部前面を構成するものであって、当該前側ケース１２の下部に着脱可能に取り付けられている。
【００１８】
更に、図１Ｂ、図１Ｃ、及び、図２に示すように、前側ケース１２は、収納部２２を備えている。収納部２２は、前側ケース１２に取り付けられたカバー部材２１と前後方向において対向して設けられており、ガスメータ１の前方に向けて開口する収納空間となっている。つまり、前側ケース１２の下部において区画形成された収納部２２は、ガスメータ１の前方に向けて開口する開口部２２ａを有しており、この開口部２２ａは、前側ケース１２に取り付けられたカバー部材２１によって、前方側から覆われている。
【００１９】
そして、収納部２２には、メータ側端子部となる端子台１５及び無線子機３０が収納されている。端子台１５は、開口部２２ａの上辺に沿って配置されており、上記基板と電気的に接続されている。無線子機３０は、その端子台１５の下部に配置されており、ねじ１７を用いて、収納部２２内に着脱可能に取り付けられている。このとき、無線子機３０の表面３０ａは、収納部２２の開口部２２ａを介して、カバー部材２１と前後方向において対向している。一方、無線子機３０の裏面３０ｂは、収納部２２の底面２２ｂと前後方向において対向している。
【００２０】
無線子機３０は、無線親機（図示省略）との間において、無線通信を行うものである。その無線親機は、公衆回線を通じて、ガス供給元のホストコンピュータに接続されており、無線子機３０から無線送信された、検針値に対応した電気信号を、そのホストコンピュータに送信する。これにより、複数の顧客宅に設置された各ガスメータ１と、ガス供給元のホストコンピュータとは、遠隔検針システムを構築している。
【００２１】
また、図２に示すように、無線子機３０は、基板３１を内蔵しており、この基板３１は、通信機側端子部となる端子台３２を備えている。端子台３２は、無線子機３０の裏面３０ｂから外側に向けて突出しており、通信線１６を介して、ガスメータ１の端子台１５と電気的に接続されている。このとき、図１Ｂ及び図２に示すように、通信線１６は、収納部２２の底面２２ｂと無線子機３０の裏面３０ｂとの間に配置されている。
【００２２】
更に、無線子機３０は、凹部３３を備えている。凹部３３は、裏面３０ｂから凹むように形成されている。これに対して、収納部２２は、突出部２３を備えている。突出部２３は、収納部２２の底面２２ｂから前方に向けて突出するように形成されている。そして、突出部２３と凹部３３とは、前後方向において嵌合可能となっている。
【００２３】
従って、無線子機３０をガスメータ１の収納部２２内に取り付ける場合には、突出部２３と凹部３３とを嵌合させて、無線子機３０を収納部２２に対して位置決めした状態で、当該無線子機３０を収納部２２内にねじ留めする。そして、ガスメータ１の検針値に対応した電気信号は、ガスメータ１の端子台１５から、通信線１６を介して、無線子機３０の端子台３２に送信された後、当該無線子機３０によって無線親機に向けて無線送信される。
【００２４】
ここで、無線子機３０は、裏返にした状態でも収納部２２内に収納可能となっている。つまり、無線子機３０の通常使用時、即ち、無線送信時においては、当該無線子機３０は、表面３０ａが前方を向いている状態で収納されている。これに対して、ガスメータ１と無線子機３０との結線時においては、当該無線子機３０は、裏面３０ｂが前方を向いている状態で収納されている。
【００２５】
このように、無線子機３０は、収納部２２に対して反転可能となっている。このとき、ねじ１７は、無線子機３０を、その表面３０ａ及び裏面３０ｂのどちらの面が前方を向いている状態でも、同じねじ留め位置において、ねじ留め可能となっている。更に、突出部２３は、上述したように、無線子機３０が表面３０ａを前方に向けて収納されたときには、裏面３０ｂの凹部３３と嵌合する一方、無線子機３０が裏面３０ｂを前方に向けて収納されたときには、表面３０ａにおける端子台３２と対向する部分と当接する。
【００２６】
なお、無線子機３０の反転とは、表面３０ａが前方を向いている状態から裏面３０ｂが前方を向く状態に変わる反転と、裏面３０ｂが前方を向いている状態から表面３０ａが前方を向く状態に変わる反転との両方の反転を含んでいる。そして、前者の反転は、例えば、無線子機３０をガスメータ１から取り外すときに適用される。一方、後者の反転は、例えば、無線子機３０をガスメータ１に取り付けるときに適用される。
【００２７】
次に、無線子機３０のガスメータ１への取り付け方法について、図１から図３を用いて詳細に説明する。
【００２８】
先ず、図３Ａに示すように、カバー部材２１を前側ケース１２から取り外す。
【００２９】
次いで、図３Ｂに示すように、無線子機３０を、裏面３０ｂ及び端子台３２が前方を向く状態、即ち、裏返した状態で、収納部２２内に収納する。続いて、その状態で収納した無線子機３０を、ねじ１７を用いてねじ留めする。
【００３０】
そして、図３Ｃに示すように、ガスメータ１の端子台１５と、無線子機３０の端子台３２とを、通信線１６で接続する。このとき、無線子機３０の表面３０ａは、収納部２２の底面２２ｂと対向しており、その表面３０ａにおける端子台３２と対向する部分には、突出部２３が当接している。
【００３１】
これにより、突出部２３は、通信線１６を端子台３２に接続する際に発生する押し付け力を受けることができるため、その接続時において、無線子機３０が押し込まれることはなく、当該無線子機３０は、傾くことなく安定して配置されている。よって、ガスメータ１と無線子機３０との結線作業は、その無線子機３０を、端子台３２が前方を向いた裏返し状態にし、更に、無線子機３０の突出部２３への押し付けによって、その収納位置の安定化が図られているため、容易に行うことができる。
【００３２】
次いで、図３Ｄに示すように、ねじ１７を取り外した後、無線子機３０を反転させて、表面３０ａが前方を向く状態で収納部２２内に収納する。つまり、無線子機３０を、裏面３０ｂ、端子台３２、及び、凹部３３が底面２２ｂと対向するように収納する。続いて、その状態で収納した無線子機３０を、ねじ１７を用いてねじ留めする。
【００３３】
これにより、図１Ｂに示すように、通信線１６は、収納部２２の底面２２ｂと、無線子機３０の裏面３０ｂとの間に配置される。また、収納部２２の突出部２３と無線子機３０の凹部３３とは嵌合するため、当該無線子機３０は、収納部２２内において位置決めされる。
【００３４】
そして、図１Ａ及び図２に示すように、カバー部材２１を前側ケース１２に取り付ける。これにより、通信線１６及び無線子機３０は、カバー部材２１によって覆われるため、ガスメータ１の外観から見えなくなる。
【００３５】
なお、無線子機３０のガスメータ１からの取り外し方法については、上述した取り付け方法の手順の逆の手順で行えば良いため、説明を省略する。
【００３６】
また、本実施の形態１に係る無線子機３０のガスメータ１への取り付け方法においては、収納部２２内に収納した通信線１６を、その収納部２２の底面２２ｂと無線子機３０の裏面３０ｂとの間に配置させているが、通信線１６及び無線子機３０が共に収納部２２内に収納できれば良い。
【００３７】
つまり、通信線１６を収納する際の配置は、当該通信線１６の径寸法及び長さ、収納部２２の形状及び大きさ、無線子機３０の形状及び大きさ等に応じて、適宜調整することが可能である。例えば、通信線１６を無線子機３０の表面３０ａ上に配置させること、または、通信線１６を無線子機３０の外周縁部に沿って配置させることも可能である。
【００３８】
更に、本実施の形態１に係る無線子機３０のガスメータ１への取り付け方法においては、ガスメータ１と無線子機３０との結線時に、表面３０ａにおける端子台３２と対向する部分と、突出部２３とを当接させているが、突出部２３が、通信線１６を端子台３２に接続する際に発生する押し付け力を受けて、無線子機３０を安定させることができれば、当該突出部２３は、端子台３２の裏側となる表面３０ａのどこの部分と当接しても構わない。
【００３９】
以上より、この発明の実施の形態１に係る通信機のガスメータへの取り付け方法によれば、ガスメータ１と無線子機３０との結線作業を、前方に向けて開口する開口部２２ａを介して行うことにより、当該結線作業を容易に行えることができる。また、通信線１６を無線子機３０と共に収納部２２内に収納して、その開口部２２ａをカバー部材２１によって覆うことにより、通信線１６をガスメータ１の外観から隠すことができる。これにより、ガスメータ１の外観向上及び通信線１６の切断防止を図ることができる。
【００４０】
しかも、無線子機３０の端子台３２に通信線１６を接続するときに、表面３０ａにおける端子台３２と対向する部分と、突出部２３とを当接させることにより、無線子機３０を安定させた状態で、結線作業を行うことができる。
【００４１】
そして、結線後に無線子機３０を反転させて収納するときに、無線子機３０の凹部３３と、収納部２２の突出部２３とを嵌合させることにより、無線子機３０を収納部２２内において容易に位置決めすることができる。
【００４２】
また、結線時における無線子機３０に対するねじ留めと、結線後に反転させた無線子機３０に対するねじ留めとを、同じ位置で、且つ、同じねじ１７を用いて行うことにより、ねじ留め作業を効率的に行うことができる。
【００４３】
更に、最終的に収納された無線子機３０の基板３１を、その無線子機３０におけるガスメータ１の前面側に配置させることにより、当該基板３１を筐体１１から可能な限り遠ざけることができる。これにより、無線子機３０の無線特性が金属性の筐体１１に影響されるおそれがなくなるため、無線子機３０の誤動作を防止することができる。
【００４４】
なお、本願発明は、その発明の範囲内において、実施の形態の任意の構成要素の変形、もしくは、実施の形態の任意の構成要素の省略が可能である。
【符号の説明】
【００４５】
１    ガスメータ
１１    筐体
１２    前側ケース
１３ａ  ガス流入口
１３ｂ  ガス流出口
１４    表示部
１５    端子台
１６    通信線
１７    ねじ
２１    カバー部材
２２    収納部
２２ａ  開口部
２２ｂ  底面
２３    突出部
３０    無線子機
３０ａ  表面
３０ｂ  裏面
３１    基板
３２    端子台
３３    凹部
【図１】
2019124655.tif 000003
【図２】
2019124655.tif 000004
【図３】
2019124655.tif 000005